(57)【要約】【課題】容器の洗浄等が安心かつ容易である噴霧型電解次亜塩素酸水生成装置を提供する。【解決手段】噴霧ノズルが配設されている容器と電源部とを有する噴霧型電解次亜塩素酸水生成装置であって、容器の底部に電気分解用電極対が容器の底面に平行に設けられていることを特徴とする噴霧型電解次亜塩素酸水生成装置。【選択図】図１
0003174882.tif 000002
【実用新案登録請求の範囲】
【請求項１】
噴霧ノズルが配設されている容器と電源部とを有する噴霧型電解次亜塩素酸水生成装置であって、容器の底部に電気分解用電極対が容器の底面に平行に設けられていることを特徴とする噴霧型電解次亜塩素酸水生成装置。
【請求項２】
電気分解用電極対が、水が通過可能な保護具で覆われている請求項１記載の噴霧型電解次亜塩素酸水生成装置。
【請求項３】
電気分解用電極が網状の電極である請求項１または２記載の噴霧型電解次亜塩素酸水生成装置。
【考案の詳細な説明】
【技術分野】
【０００１】
本考案は、水道水を原水とし、原水の塩化物イオン濃度、さらには添加する食塩（塩化ナトリウム）の量に応じて無隔膜法により電気分解によって必要な濃度の微アルカリ性次亜塩素酸水を生成させ、生成した微アルカリ性次亜塩素酸水を直接噴霧することができる装置に関する。
【背景技術】
【０００２】
塩化ナトリウムを加えた水を電気分解して、陽極側から次亜塩素酸水（いわゆる電解次亜水）を陰極からアルカリイオン水を採取することは広く行われている。また、水に塩酸を加えたものを原水とし、電気分解により陽極側に発生する弱酸性の次亜塩素酸水を利用して殺菌することも行われている。
【０００３】
これらの電気分解の方法として、陽極と陰極の間に隔膜を設けて、陽極側で発生する次亜塩素酸と陰極側で発生するアルカリイオン水を別々に取り出す隔膜法と、隔膜を設けない無隔膜法が知られている。
【０００４】
無隔膜法の例として、たとえば特許文献１や特許文献２などが知られている。特許文献１には吐出（噴霧）容器の底部に垂直に２枚の電極板を直立させ、各電極の接点を吐出容器底部に配設し、吐出容器を電源装置上に置くことにより、容器底部の接点と電源本体とを通電し、容器内で電気分解を行うことが記載されている。この特許文献１では、吐出容器自体に噴霧ノズルを配設することも提案されている。また、特許文献２は、機構的には特許文献１に類似しているが、電極としてスリットを設けた板や網板を採用している。
【先行技術文献】
【特許文献】
【０００５】
【特許文献１】特開２００３−０９３４７９号公報
【特許文献２】特表２００７−５０８９１８号公報
【考案の概要】
【考案が解決しようとする課題】
【０００６】
ところで特許文献１において、吐出容器の底部に配設されている電極板は直立（底面に対して垂直）に設けられており、洗うときにスポンジなどの洗浄具が当たって位置がずれて効率の良い電気分解ができなくなるという問題がある。
【０００７】
本考案は、たとえば特許文献１に記載されているような噴霧ノズルが配設されている容器と電源部とを有する噴霧型電解次亜塩素酸水生成装置であって、容器の洗浄等が安心かつ容易である噴霧型電解次亜塩素酸水生成装置を提供することを目的とする。
【課題を解決するための手段】
【０００８】
すなわち本考案は、噴霧ノズルが配設されている容器と電源部とを有する噴霧型電解次亜塩素酸水生成装置であって、容器の底部に電気分解用電極対が容器の底面に平行に設けられていることを特徴とする噴霧型電解次亜塩素酸水生成装置に関する。
【考案の効果】
【０００９】
本考案によれば、容器の洗浄等が安心かつ容易である噴霧型電解次亜塩素酸水生成装置を提供することができる。
【図面の簡単な説明】
【００１０】
【図１】本考案の噴霧型電解次亜塩素酸水生成装置の概略側面図である。
【図２】本考案の噴霧型電解次亜塩素酸水生成装置の吐出容器の概略底面図である。
【考案を実施するための形態】
【００１１】
以下、図面に基づいて本考案の実施形態を詳述する。
【００１２】
本実施例における噴霧型電解次亜塩素酸水生成装置１は、携帯可能とされる吐出容器２と、電源部３とから構成される。
【００１３】
吐出容器２の頭部には、噴霧ノズル４が配設されており、また、底部には電解用電極対５、６が底面と平行に設けられている。
【００１４】
噴霧ノズル４としては、通常のスプレー容器に使用される手動式（レバータイプ）のもので十分である。噴霧ノズル４には電解次亜塩素酸水をノズルに供給するためのパイプ７が接続されている。
【００１５】
なお、噴霧ノズル４には、図示されていないが、電気分解で発生する水素ガスを抜くための所謂ガス抜き孔または圧力弁を設けることが望ましい。
【００１６】
吐出容器２の底部には、電気分解用電極対５、６が容器の底面に平行に設けられている。電気分解用電極対５、６は、たとえば白金、または白金とイリジウムの合金などの貴金属電極、あるいは白金もしくは白金とイリジウムの合金を被覆した貴金属被覆電極など、公知の電気分解用の電極が採用できる。また、好ましくは網（メッシュ）状の電極を所定の間隔で対面させる形でセットする。所定の間隔はたとえば０．５〜３ｍｍ程度とする。平面形状は矩形でも円形（楕円形等も含む）でもよいが、吐出容器２の底面形状に合わせる方がよい。
【００１７】
電気分解用電極対５、６は、水（水道水か微食塩水）に接触しておかなければならないので、水密的にカバーすることはできない。しかし、容器内を洗ったり拭いたりするときに、電極板にできるだけ直接触れない方が電気分解の効率を維持でき、また、故障を減らす点から、水が通過可能な保護具で覆われていることが好ましい。
【００１８】
そうした保護具としては、たとえばプラスチック製のドーム（キャップ）型の保護枠８などが例示できるが、適当な開口部を持ち電気分解用電極対５、６を覆うことができる手段であれば特に限定されない。
【００１９】
電源部３には、たとえば特許文献１に記載されているような公知の電源装置とその制御システムが採用できる。
【００２０】
具体的には、電源部３は吐出容器２の電気分解用電極対５、６に直流電流を供給する直流電流供給装置であり、内部に制御装置としてのマイクロコンピュータ、ＡＣ／ＤＣ変換器などを備えている。電源部３の上面には、前記吐出容器２を載置するための凹部が形成されており、中央部には吐出容器２の底面に設けられた電気分解用電極対５、６の端子と当接するために上方に突出した端子が設けられている。
【００２１】
本考案の装置の操作は、電源部３に設けられているオン／オフを操作する操作スイッチで行う。
【００２２】
本考案の装置の制御は、タイマーで２〜４段階に電気分解（通電）時間をセットする方法が好ましい。また、一定時間で電極の極性を切り替えることも望ましい。
【００２３】
本考案の装置で電気分解する被処理水としては、水道水、好ましくは食塩などの塩素源を微量添加した水道水が好ましい。本考案の装置によれば、限定的ではないが、直流１２〜２４Ｖで３〜７Ａ程度の温和な条件で、１０〜２０分間で水道水中の塩化物イオンの１０〜３０％を次亜塩素酸に変換することができる。
【００２４】
追加する塩化物イオン源としては、塩化ナトリウム（たとえば食卓塩）、塩化カリウムなどのアルカリ金属またはアルカリ土類金属の塩化物が入手の容易さや安価なことから、好ましい。たとえば、塩化ナトリウムの場合、水道水５リットルに対して０．５ｇ追加することで、１００ｍｇ／Ｌ以上の次亜塩素酸濃度になり、十分な殺菌・脱臭効果が得られる
【００２５】
電解次亜塩素酸の殺菌活性やその他の効能については、食品安全委員会等の報告等で詳しく述べられており、インフルエンザウイルスやノロウイルスも不活性化することができることが分かっている。また、微生物ではないが、近年大きな問題となっている花粉についても、その作用機序は明らかではないが、明確に花粉症の症状を緩和することが判明している。
【００２６】
本考案の装置によれば噴霧型の吐出容器に直接電解次亜塩素酸水を生成できるので、殺菌を施したい場所、たとえば浴室、トイレ、台所、観葉植物などに直接ハンドスプレーすればよい。また、電解次亜塩素酸水を生成した直後に使用することができ、殺菌力の低下が防止できる。
【符号の説明】
【００２７】
１  本考案の噴霧型電解次亜塩素酸水生成装置
２  吐出容器
３  電源部
４  噴霧ノズル
５、６  電気分解用電極対
７  供給パイプ
８  保護枠
【図１】
0003174882.tif 000003
【図２】
0003174882.tif 000004